(57)【要約】【課題】サブミラーの角度変化が少なく、且つサブミラーのバウンド収束時間を短くすることができるカメラを提供する。【解決手段】本発明に係わるカメラ（２０）は、メインミラー（１）を保持するメインミラー保持枠（２）と、サブミラー（３）を保持するとともに、前記メインミラー保持枠に軸支されたサブミラー保持枠（４）と、前記メインミラー保持枠に設けられ、前記メインミラーがミラーダウン位置にあるときに、前記サブミラー保持枠と当接して当該サブミラー保持枠を定位置で停止させる受けピン（６）と、を備えることを特徴とする。【選択図】図２
2011027966.tif 000002
【特許請求の範囲】
【請求項１】
メインミラーを保持するメインミラー保持枠と、
サブミラーを保持するとともに、前記メインミラー保持枠に軸支されたサブミラー保持枠と、
前記メインミラー保持枠に設けられ、前記メインミラーがミラーダウン位置にあるときに、前記サブミラー保持枠と当接して当該サブミラー保持枠を定位置で停止させる受けピンと、
を備えることを特徴とするカメラ。
【請求項２】
請求項１に記載のカメラであって、
前記受けピンは、前記メインミラー保持枠に対し回動自在に取り付けられた偏芯ピンであることを特徴とするカメラ。
【請求項３】
請求項２に記載のカメラであって、
前記偏芯ピンは、前記メインミラーがミラーアップ位置にあるときに、外部からの回動操作が可能な位置に取り付けられていることを特徴とするカメラ。
【発明の詳細な説明】
【技術分野】
【０００１】
本発明は、一眼レフカメラに関するものである。
【背景技術】
【０００２】
従来、一眼レフカメラの機構として、メインミラーを保持したメインミラー保持枠と、サブミラーを保持するとともに、メインミラー保持枠に軸支されたサブミラー保持枠と、ミラーダウン位置においてサブミラー保持枠と当接する受けピンと、を備えたミラー保持構造が知られている。従来のミラー保持構造におけるサブミラーの角度は、サブミラーがミラーダウン位置に来たときに、サブミラー保持枠の一部を受けピンと当接させることにより決定されている。
【０００３】
一方、近年はデジタル一眼レフカメラが主流となり、従来のフィルム式一眼レフカメラに比べて、撮影枚数が格段に増えている。このため、耐久性の向上や連写コマ速のアップが望まれている。
【０００４】
上述したサブミラー保持枠は、ミラーダウン時に受けピンに衝突した後、受けピンの表面を摺動しながら所定位置まで移動する。そのため、ミラーアップとミラーダウンとを繰り返す度に、受けピンとサブミラー保持枠の当接部分との接触面が摩擦力により削れることになる。したがって、撮影枚数が多くなると、サブミラーのＡＦモジュールに対する角度が変化してしまい、ＡＦ性能が低下することが考えられる。
【０００５】
また、連写コマ速を上げるためには、ミラーダウン時のメインミラー及びサブミラーのバウンド収束時間を短くすることが必要となる。そこで、従来では、サブミラーを所定位置に規制する受けピンを、サブミラー保持枠のＵ字溝と係合させることにより、バウンドを防止するようにしたミラーバウンド防止装置が提案されている（例えば、特許文献１参照）。また、ミラー調整板の位置及びサブミラー調整ピンの回動位置を調整することにより、サブミラーの傾きを調整するようにしたミラー角度調整装置が提案されている（例えば、特許文献２参照）。
【先行技術文献】
【特許文献】
【０００６】
【特許文献１】特許第３９００５１号公報
【特許文献２】特開２００７−１１４５１２号公報
【発明の概要】
【発明が解決しようとする課題】
【０００７】
上記特許文献１では、サブミラーのバウンドを軽減することはできるが、ミラーアップとミラーダウンとを繰り返した場合には、摩擦力により受けピンと当接部分との接触面が削れることは避けられない。このため、撮影枚数が多くなるにつれて、サブミラーの角度が変化してしまうことが考えられる。また、上記特許文献２の構成では、サブミラーの角度を適切に調整することはできるが、サブミラーの調整ピンがミラーボックス内に突出し、撮像素子の中央付近に存在する。このため、撮影レンズからの迷光が調整ピンの表面に反射して撮像素子に進入してしまい、撮像された画像にゴーストが発生するおそれがある。
【０００８】
本発明の課題は、サブミラーの角度変化が少なく、且つサブミラーのバウンド収束時間を短くすることができるカメラを提供することにある。
【課題を解決するための手段】
【０００９】
本発明は、以下のような解決手段により前記課題を解決する。なお、理解を容易にするために、本発明の実施形態に対応する符号を付して説明するが、これに限定されるものではない。
請求項１に記載の発明は、メインミラー（１）を保持するメインミラー保持枠（２）と、サブミラー（３）を保持するとともに、前記メインミラー保持枠に軸支されたサブミラー保持枠（４）と、前記メインミラー保持枠に設けられ、前記メインミラーがミラーダウン位置にあるときに、前記サブミラー保持枠と当接して当該サブミラー保持枠を定位置で係止させる受けピン（６，６ａ）と、を備えることを特徴とするカメラ（２０）である。
請求項２に記載の発明は、請求項１に記載のカメラ（２０）であって、前記受けピン（６ａ）は、前記メインミラー保持枠（２）に対し回動自在に取り付けられた偏芯ピンであることを特徴とする。
請求項３に記載の発明は、請求項２に記載のカメラ（２０）であって、前記偏芯ピン（６ａ）は、前記メインミラー（１）がミラーアップ位置にあるときに、外部からの回動操作が可能な位置に取り付けられていることを特徴とする。
なお、符号を付して説明した構成は、適宜改良してもよく、また、少なくとも一部を他の構成物に代替してもよい。
【発明の効果】
【００１０】
本発明によれば、サブミラーの角度変化を少なくし、且つサブミラーのバウンド収束時間を短くすることができるカメラを提供することができる。
【図面の簡単な説明】
【００１１】
【図１】第１実施形態に係わるカメラの断面図である。
【図２】第１実施形態においてメインミラーがミラーダウン位置にあるときのミラー保持機構部の側面図である。
【図３】第１実施形態においてメインミラーがミラーダウン位置にあるときのミラー保持機構部の側面図である。
【図４】第２実施形態においてメインミラーがミラーアップ位置にあるときのミラー保持機構部の断面図である。
【図５】第２実施形態における受けピンの斜視図である。
【発明を実施するための形態】
【００１２】
以下、図面を参照して、本発明に係わるカメラの実施形態について説明する。なお、以下に示す図面には、説明と理解とを容易にするために、必要に応じてＸＹＺの直交座標系を設けた。この座標系では、撮影者が光軸Ａを水平として横長の画像を撮影する場合のカメラ位置（以下、正位置という）において撮影者から見て左側に向かう方向をＸプラス方向とする。また、正位置において上側に向かう方向をＹプラス方向とする。さらに、正位置において被写体に向かう方向をＺ方向とする。
【００１３】
まず、第１実施形態について説明する。図１は、第１実施形態に係わるカメラ２０の断面図である。図２は、第１実施形態においてメインミラー１がミラーダウン位置にあるときのミラー保持機構部３０の側面図である。図３は、第１実施形態においてメインミラー１がミラーダウン位置にあるときのミラー保持機構部３０の側面図である。
なお、図１は、カメラ２０を光軸Ａに沿って縦に分割したときの断面図である。また、図１では、ミラー保持機構部３０の構成を簡略化して描いている。このため、図２及び図３に示すミラー保持機構部３０とは一部形状が異なる。
【００１４】
カメラ２０は、デジタル一眼レフカメラとして構成されている。カメラ２０は、図１に示すように、カメラボディ２１、画像表示部２２、マウント部２５、ミラー保持機構部３０、ファインダ部４０、ＡＦモジュール５０、シャッタ部６０、及び撮像部７０を備える。
【００１５】
カメラボディ２１は、カメラ２０の各部を固定するメインフレームである。画像表示部２２は、カメラ２０の後部に設けられ、撮像部７０で撮影した被写体像や、操作に関連した情報、撮影した被写体像等を表示する液晶ディスプレイである。マウント部２５は、不図示の撮影レンズが着脱自在に装着される部分である。撮影レンズは、入射した被写体光をミラー保持機構部３０に出射するレンズ群を備える。
【００１６】
ファインダ部４０は、ファインダスクリーン４１、ペンタダハプリズム４２及び接眼部４３を備える。ファインダスクリーン４１は、ミラー保持機構部３０が観察位置（ミラーダウン位置）のときに反射される被写体光を入射して結像するためのスクリーンである。ペンタダハプリズム４２は、ファインダスクリーン４１によって結像された被写体光を接眼部４３へ出射する多角形のプリズムである。接眼部４３はペンタダハプリズム４２から出射された被写体光が入射する位置に配置された接眼光学系である。
【００１７】
ＡＦモジュール５０は、ミラー保持機構部３０で反射した被写体光を入射して、焦点調節のための測距情報を検出するセンサである。シャッタ部６０は、ミラー保持機構部３０の後方に配置されている。シャッタ部６０は、ミラー保持機構部３０が撮影位置（ミラーアップ位置）のときに被写体光が入射する。シャッタ部６０は、不図示の複数のシャッタ羽根群を備え、不図示のレリーズスイッチ等による撮影指示に応じてシャッタ羽根群を開閉させ、撮像部７０に被写体光を入射する。
【００１８】
撮像部７０は、シャッタ部６０を通過した被写体光が入射する位置に設けられている。撮像部７０は、ローパスフィルタ７１及び撮像素子７２を備えている。撮像素子７２は、ローパスフィルタ７１を介して入射した被写体光を露光し、電気的な画像信号に変換して、不図示の画像処理部へ出力する。
【００１９】
ミラー保持機構部３０は、メインミラー保持枠２及びサブミラー保持枠４を備える。ミラー保持機構部３０は、不図示の撮影レンズから出射される被写体光が入射する位置に設けられている。ミラー保持機構部３０は、ファインダ部４０、ＡＦモジュール５０、シャッタ部６０、及び撮像部７０に被写体光を選択的に入射させる機構である。
【００２０】
メインミラー保持枠２は、メインミラー１を備える。メインミラー１は、被写体光をファインダ部４０へ反射させる反射ミラーである。メインミラー１の反射面には、被写体光の一部を透過させる不図示の半透過ミラーが設けられている。この半透過ミラーを透過した被写体光の一部は、その後部に設けられたサブミラー３に入射する。
【００２１】
メインミラー保持枠２は、図２に示すように、メイン支軸８により回動自在に支持されている。メイン支軸８には、コイルバネ等からなる不図示のリターンバネが設けられている。メインミラー保持枠２は、このリターンバネによりメイン支軸８を中心として反時計回りに付勢されている。
【００２２】
図２に示すミラーダウン位置では、メインミラー１を所定の角度で停止させる必要がある。このため、メインミラー保持枠２を所定の角度で停止させるストッパピン７が設けられている。ストッパピン７は、カメラボディ２１に設けられている。図２に示すように、ストッパピン７にメインミラー保持枠２が当接することにより、ミラーダウン位置においてメインミラー保持枠２が所定の角度で停止する。
【００２３】
一方、サブミラー保持枠４は、サブミラー３を備える。サブミラー３は、メインミラー１の半透過ミラーを透過した被写体光を反射してＡＦモジュール５０へ導く反射ミラーである。サブミラー保持枠４は、サブ支軸９によりメインミラー保持枠２に回動自在に取り付けられている。
【００２４】
サブ支軸９には、トグルバネ等の不図示のリターンバネが設けられている。サブミラー保持枠４は、このリターンバネにより、サブ支軸９を中心として時計回りまたは反時計回りに付勢されている。すなわち、サブミラー保持枠４は、ミラーアップ時に、メインミラー保持枠２に対する角度が所定の角度未満になると時計回りに付勢される。これにより、図３に示すように、サブミラー保持枠４はメインミラー保持枠２とともに退避位置まで跳ね上がる。
【００２５】
また、サブミラー保持枠４は、ミラーダウン時に、メインミラー保持枠２に対する角度が所定の角度以上になると反時計回りに付勢される。これにより、サブミラー保持枠４は、図２に示すように、後述する受けピン６の方向に移動する。
【００２６】
図２に示すミラーダウン位置では、サブミラー３を所定の角度で停止させる必要がある。このため、サブミラー保持枠４を所定の角度で停止させる受けピン６が設けられている。受けピン６は、メインミラー保持枠２に設けられている。メインミラー保持枠２は、メイン支軸８の近傍にブラケット１０を備える。受けピン６は、ブラケット１０に取り付けられている。受けピン６は、図２に示すように、サブミラー保持枠４の回動中心であるサブ支軸９に近接して取り付けられている。
【００２７】
受けピン６は、円筒形の部材である。この円筒形の外周面にサブミラー保持枠４の一部が当接する。サブミラー保持枠４は、受けピン６側に三角形の凸部１１を有する。この凸部１１の一辺が受けピン６の外周面と当接する当接部４ａとなる。当接部４ａが受けピン６の外周面に当接することにより、ミラーダウン位置においてサブミラー保持枠４が所定の角度で停止する。
【００２８】
本実施形態では、受けピン６がメインミラー保持枠２に設けられている。このため、メインミラー保持枠２がミラーアップ位置へ移動すると、受けピン６もメインミラー保持枠２と一体となって移動する。この結果、受けピン６は、メインミラー保持枠２とともに被写体光の光路から退避する。
【００２９】
次に、本実施形態におけるミラー保持機構部３０の動作を説明する。図３に示すミラーアップ位置から図２に示すミラーダウン位置に移行するとき、メインミラー保持枠２及びサブミラー保持枠４は、それぞれ反時計回りに回動する。このとき、サブミラー保持枠４は、サブ支軸９を中心にしてメインミラー保持枠２に対して回動する。受けピン６は、メインミラー保持枠２に設けられている。このため、ミラーダウン時に、サブミラー保持枠４の当接部４ａが受けピン６に衝突することにより受ける反力は、サブミラー３およびサブミラー保持枠４の運動エネルギーのみとなる。
【００３０】
一方、メインミラー保持枠２は、従来と同じく、メイン支軸８を中心にして反時計回りに回動する。そして、サブミラー保持枠４が回動を停止した後、ストッパピン７に当接して停止する。メインミラー保持枠２が回動する間、サブミラー保持枠４の当接部４ａは、受けピン６に当接したままとなる。このため、当接部４ａと受けピン６との相対的な摺動はほとんど生じない。
【００３１】
上述した第１実施形態によると、以下の効果を奏する。
（１）従来のごとくカメラボディにサブミラーの受けピンが設けられていた従来のカメラでは、ミラーダウン時にメインミラーの受けピンとメインミラー保持枠とが接触する前にサブミラーの受けピンとサブミラー保持枠とが接触するため、サブミラー保持枠とサブミラー受けピンとの間で一定距離は摺動する構造となっていた。これに対し本実施形態のカメラでは、サブミラー保持枠４がミラーダウン位置へ回動する際、受けピン６には、サブミラー保持枠４が回動するときの運動エネルギーのみが加わる。また、メインミラー保持枠２が回動する間、サブミラー保持枠４の当接部４ａと受けピン６との相対的な摺動はほとんど生じない。このため、サブミラー保持枠４の当接部４ａと受けピン６との間の摩擦力が小さくなり、これら接触面の削れが少なくなる。したがって、長期間使用してもサブミラー３の角度変化を少なくすることができ、ＡＦ性能への影響を軽減することができる。
（２）従来のごとくカメラボディにサブミラーの受けピンが設けられていた従来のカメラでは、サブミラー保持枠がミラーダウン位置へ回動してサブミラー保持枠がサブミラーの受けピンに衝突する際、サブミラーの受けピンには、メインミラー１およびメインミラー保持枠２、サブミラー３、サブミラー保持枠４が回動するときの運動エネルギーが作用していた。これに対し本実施形態のカメラでは、サブミラー保持枠４がミラーダウン位置へ回動しサブミラー保持枠４が受けピン６に衝突する際、受けピン６には、サブミラー３およびサブミラー保持枠４が回動するときの運動エネルギーのみが作用する。このため、ミラーダウン時におけるサブミラー保持枠４のバウンド収束時間を短くすることができる。したがって、連写コマ速をアップすることが可能となる。
（３）サブミラー保持枠４がミラーアップ位置へ回動する際、受けピン６はメインミラー保持枠２と一体となって移動し、メインミラー保持枠２とともに被写体光の光路から退避する。このため、撮影レンズからの迷光が受けピン６の表面に反射して撮像素子７２に進入することがない。したがって、撮影時におけるゴースト発生を抑えることができる。
【００３２】
次に、第２実施形態について説明する。図４は、第２実施形態において、メインミラーがミラーアップ位置にあるときのミラー保持機構部３０Ａの断面図である。この図４は、ミラー保持機構部３０Ａを光軸Ａに沿って縦に分割したときの断面を、Ｘプラス方向（図１参照）から見たときの断面を示している。また、図５は、受けピン６ａの斜視図である。なお、第２実施形態では、第１実施形態と同等部分に同一符号を付している。
【００３３】
本実施形態では、受けピン６ａ及びストッパピン７ａを偏芯ピンとしている。受けピン６ａは、図５に示すように、円筒形の当接筒部１３を備える。この当接筒部１３の外周面にサブミラー保持枠４の当接部４ａが当接する。当接筒部１３の一方の面には、軸部１４が設けられている。当接筒部１３の他方の面には、六角レンチが差し込まれる六角形の孔部１３ａが設けられている。
軸部１４は、メインミラー保持枠２のブラケット１０に取り付けられる部分である。本実施形態において、受けピン６ａはブラケット１０にカシメ固定される。軸部１４は、当接筒部１３の軸心よりも偏芯した位置に設けられている。すなわち、受けピン６ａは偏芯ピンとして構成されている。なお、受けピン６ａは、後述するように、工具による回動が可能となる強度でカシメ固定される。
【００３４】
受けピン６ａは、孔部１３ａがカメラボディ２１のミラーボックスの内側に向くようにカシメ固定される。これにより、メインミラー保持枠２がミラーアップ位置にあるとき、受けピン６ａを回動操作することが可能となる。なお、ミラーダウン位置であっても、組み立て工程中など、シャッタ部６０が配置されていない状態では、後からでも回転操作が可能となる。
【００３５】
本実施形態の構成によれば、メインミラー保持枠２に受けピン６ａを取り付けた状態で、孔部１３ａに六角レンチを差し込んで受けピン６ａを回動させることができる。これにより、サブミラー保持枠４の当接部４ａと当接筒部１３とが当接する位置を調整することができる。したがって、サブミラー３のミラー角度を適正角度に調整することにより、部品や組み立て時のばらつきを修正することができる。また、受けピン６ａの孔部１３ａがミラーボックスの内側を向くように配置される。このため、カメラ２０が完成状態であっても、ミラーアップ位置にすることにより偏芯位置の調整を行うことができる。
【００３６】
ストッパピン７ａも受けピン６ａと同様に構成されている。すなわち、受けピン６ａと同様に、孔部１３ａに六角レンチを差し込んでストッパピン７ａを回動させることができる（図４では受けピン６ａと同一符号を付している）。したがって、メインミラー１のミラー角度を適正角度に調整することにより、部品や組み立て時のばらつきを修正することができる。
（変形形態）
【００３７】
以上、説明した実施形態に限定されることなく、以下に示すような種々の変形や変更が可能であり、それらも本発明の範囲内である。
（１）受けピン６（６ａ）の断面は円形に限らず、半円形、楕円形等の他の形状であってもよい。また、サブミラー保持枠４の凸部１１の形状も三角形に限らず、他の形状であってもよい。
（２）受けピン６ａの孔部１３ａは六角レンチに対応した形状に限らず、プラス／マイナスのドライバ用溝でもよいし、専用の工具のみが差し込み可能な形状であってもよい。また、外径が異なる複数種の受けピン６を交換可能な構造としてもよい。この場合は、適切な外径の受けピン６を取り付けることにより、サブミラー３のミラー角度を適正角度に調整することができる。
（３）本実施形態では、本発明をデジタル一眼レフカメラに適用した例について示したが、本発明はこれに限らず、例えばフィルム式一眼レフカメラにも適用することができる。
【００３８】
なお、実施形態及び変形形態は、適宜組み合わせて用いることもできるが、詳細な説明は省略する。また、本発明は以上説明した実施形態によって限定されることはない。
【符号の説明】
【００３９】
１：メインミラー、２：メインミラー保持枠、３：サブミラー、４：サブミラー保持枠、６，６ａ：受けピン、７，７ａ：ストッパピン、８：メイン支軸、９：サブ支軸、２０：カメラ
【図１】
2011027966.tif 000003
【図２】
2011027966.tif 000004
【図３】
2011027966.tif 000005
【図４】
2011027966.tif 000006
【図５】
2011027966.tif 000007